(57)【要約】【課題】目的地候補の外観を把握することによって所望の目的地を簡便かつ確実に設定することができる「車載用ナビゲーション装置」を提供すること。【解決手段】ユーザが指定した条件を満足する目的地の候補を検索する目的地候補検索手段１５と、この目的地候補検索手段１５によって検索された目的地の候補のリスト２４，２５とともに、当該目的地の候補の三次元画像２２，２３を、自車位置に対する当該目的地の候補の方角を判別可能な状態として表示部８に表示する目的地候補表示手段１２，２１とを備えたこと。【選択図】図１
2007309823.tif 000002
【特許請求の範囲】
【請求項１】
ユーザが指定した条件を満足する目的地の候補を検索する目的地候補検索手段と、
この目的地候補検索手段によって検索された目的地の候補のリストとともに、当該目的地の候補の三次元画像を、自車位置に対する当該目的地の候補の方角を判別可能な状態として表示部に表示する目的地候補表示手段と
を備えたことを特徴とする車載用ナビゲーション装置。
【請求項２】
前記自車位置から前記目的地候補検索手段によって検索された目的地の候補までの経路を探索する経路探索手段を備え、
前記目的地候補表示手段が、前記目的地の候補の三次元画像として、前記経路探索手段によって探索された経路上から前記目的地の候補を目視した場合に視認される前記目的地の候補の外観を示す画像を表示するように形成されていること
を特徴とする請求項１に記載の車載用ナビゲーション装置。
【請求項３】
前記目的地候補表示手段が、前記目的地の候補の三次元画像として、前記経路上から前記目的地の候補を所定の目視角度で目視した場合に視認される前記目的地の候補の外観を示す画像を表示するように形成されており、
前記目視角度をユーザが選択するための目視角度選択手段を備えたこと
を特徴とする請求項２に記載の車載用ナビゲーション装置。
【請求項４】
前記目的地候補表示手段が、前記自車位置からの距離が近い目的地の候補ほど、前記目的地の候補の三次元画像を大きく表示するように形成されていること
を特徴とする請求項１乃至請求項３のいずれか１項に記載の車載用ナビゲーション装置。
【請求項５】
前記目的地候補表示手段が、前記目的地の候補のリストとして、対応する目的地の候補の三次元画像と組み合わされるようにして前記目的地の候補の三次元画像ごとに分散されたリストを表示するように形成されていること
を特徴とする請求項１乃至請求項４のいずれか１項に記載の車載用ナビゲーション装置。
【請求項６】
前記目的地の候補が施設とされ、
前記目的地候補表示手段が、前記施設の三次元画像とともに前記施設の周辺の三次元画像を表示するように形成されていること
を特徴とする請求項１乃至請求項５のいずれか１項に記載の車載用ナビゲーション装置。
【請求項７】
前記目的地候補表示手段が、前記三次元画像として、前記目的地の候補を含む実写画像を表示するように形成されていること
を特徴とする請求項１乃至請求項６のいずれか１項に記載の車載用ナビゲーション装置。
【発明の詳細な説明】
【技術分野】
【０００１】
本発明は、車載用ナビゲーション装置に係り、特に、ナビゲーションにおける目的地を設定するのに好適な車載用ナビゲーション装置に関する。
【背景技術】
【０００２】
従来から、車載用ナビゲーション装置では、ユーザがナビゲーションにおける目的地を設定する際に、ユーザが指定した種別等の条件を満足するような目的地の候補（以下、目的地候補と略称する）をディスプレイに表示し、表示された目的地候補の中から、ユーザが選択した１つの目的地候補を目的地として設定することが行われていた。
【０００３】
目的地候補の表示方法としては、例えば、図１１に示すように、ディスプレイに目的地候補のリスト５０を表示し、表示されたリスト５０の中からユーザによって選択された目的地候補（図１１におけるコンビニＡ）を示すマーク５１を地図５２上に表示する方法や、リスト５０上のすべての目的地候補を示すマークを地図上に表示する方法、あるいは、地図上に、目的地候補を示す二次元の簡易図形（図示せず）を表示する方法等が知られていた。
【０００４】
【特許文献１】特開２０００−２６６５５０号公報
【発明の開示】
【発明が解決しようとする課題】
【０００５】
ところで、ユーザは、過去に訪れた施設等の地点を、車載用ナビゲーション装置によるルート案内を受けながら再び訪れたいと希望する場合がある。その場合には、その地点を目的地として設定すればよいのであるが、ユーザは、その地点の外観は記憶しているけれども、名称（店名等）は記憶していない場合がある。
【０００６】
このような場合には、たとえ、目的地候補のリストとして、ユーザが希望する地点と同じ種別に属する地点についてのリストを表示したとしても、その中から、ユーザが希望する地点を選択することは困難であった。
【０００７】
また、従来のように、目的地候補のリストやマークあるいは簡易図形を表示しただけでは、目的地候補の外観を比較することができなかったため、ユーザが、どの目的地候補を目的地として設定したいのかを簡便に判断することができなかった。
【０００８】
このように、従来は、目的地候補の外観を把握することができなかったため、ユーザが、所望の目的地を簡便かつ確実に設定することができないといった問題が生じていた。
【０００９】
そこで、本発明は、このような問題点に鑑みなされたものであり、ユーザが、目的地候補の外観を把握することによって所望の目的地を簡便かつ確実に設定することができる車載用ナビゲーション装置を提供することを目的とするものである。
【課題を解決するための手段】
【００１０】
前述した目的を達成するため、本発明に係る車載用ナビゲーション装置は、ユーザが指定した条件を満足する目的地の候補を検索する目的地候補検索手段と、この目的地候補検索手段によって検索された目的地の候補のリストとともに、当該目的地の候補の三次元画像を、自車位置に対する当該目的地の候補の方角を判別可能な状態として表示部に表示する目的地候補表示手段とを備えたことを特徴としている。そして、このような構成によれば、目的地候補表示手段により、目的地候補検索手段によって検索された目的地候補のリストとともに、目的地候補の三次元画像を、自車位置に対する目的地候補の方角を判別可能な状態として表示部に表示することが可能となる。
【００１１】
また、本発明に係る他の車載用ナビゲーション装置は、前記自車位置から前記目的地候補検索手段によって検索された目的地の候補までの経路を探索する経路探索手段を備え、前記目的地候補表示手段が、前記目的地の候補の三次元画像として、前記経路探索手段によって探索された経路上から前記目的地の候補を目視した場合に視認される前記目的地の候補の外観を示す画像を表示するように形成されていることを特徴としている。そして、このような構成によれば、目的地候補表示手段により、目的地候補の三次元画像として、経路探索手段によって探索された経路上から目的地候補を目視した場合に視認される目的地候補の外観を示す画像を表示することが可能となる。
【００１２】
さらに、本発明に係る他の車載用ナビゲーション装置は、前記目的地候補表示手段が、前記目的地の候補の三次元画像として、前記経路上から前記目的地の候補を所定の目視角度で目視した場合に視認される前記目的地の候補の外観を示す画像を表示するように形成されており、前記目視角度をユーザが選択するための目視角度選択手段を備えたことを特徴としている。そして、このような構成によれば、目的地候補表示手段により、目的地候補の三次元画像として、目視角度選択手段によって選択された目視角度から目的地候補を目視した場合に視認される目的地候補の外観を示す画像を表示することが可能となる。
【００１３】
さらにまた、本発明に係る他の車載用ナビゲーション装置は、前記目的地候補表示手段が、自車位置からの距離が近い目的地の候補ほど、前記目的地の候補の三次元画像を大きく表示するように形成されていることを特徴としている。そして、このような構成によれば、目的地候補表示手段により、複数個の目的地候補を、自車位置からの距離を比較可能な状態として表示することが可能となる。
【００１４】
また、本発明に係る他の車載用ナビゲーション装置は、前記目的地候補表示手段が、前記目的地の候補のリストとして、対応する目的地の候補の三次元画像と組み合わされるようにして前記目的地の候補の三次元画像ごとに分散されたリストを表示するように形成されていることを特徴としている。そして、このような構成によれば、目的地候補表示手段により、目的地候補のリストとして、目的地候補の三次元画像ごとに分散されたリストを表示することが可能となる。
【００１５】
さらに、本発明に係る他の車載用ナビゲーション装置は、前記目的地の候補が施設とされ、前記目的地候補表示手段が、前記施設の三次元画像とともに前記施設の周辺の三次元画像を表示するように形成されていることを特徴としている。そして、このような構成によれば、目的地候補表示手段により、目的地候補としての施設の三次元画像とともに、施設の周辺の三次元画像を表示することが可能となる。
【００１６】
さらにまた、本発明に係る他の車載用ナビゲーション装置は、前記目的地候補表示手段が、前記三次元画像として、前記目的地の候補を含む実写画像を表示するように形成されていることを特徴としている。そして、このような構成によれば、目的地候補表示手段により、三次元画像として、目的地候補を含む実世界の実写画像を表示することが可能となる。
【発明の効果】
【００１７】
本発明に係る車載用ナビゲーション装置によれば、目的地候補表示手段により、目的地候補検索手段によって検索された目的地候補のリストとともに、目的地候補の三次元画像を表示部に表示することができる結果、ユーザが、目的地候補の外観を把握することによって、所望の目的地を簡便かつ確実に設定することができる。また、目的地候補の三次元画像を、自車位置に対する目的地候補の方角を判別可能な状態として表示することができる結果、ユーザが、自車位置に対する目的地候補の方角を基準として、訪れることを希望する目的地を簡便かつ確実に選択することができる。さらに、ユーザが、実際に目的地に赴く前に、目的地の外観を予め把握することができるので、ルート案内を受けながら自車両を目的地の近辺まで進行させた際に、目的地を容易に確認することができる。
【００１８】
また、本発明に係る他の車載用ナビゲーション装置によれば、目的地候補表示手段により、経路探索手段によって探索された経路上から目的地候補を目視した場合に視認される目的地候補の外観を示す三次元画像を表示することができるので、その目的地候補が、ユーザが過去に訪れた地点であってユーザが再び訪れることを希望している地点の場合には、ユーザが過去に経路上から目視して記憶している地点の外観と同じ外観を示す画像を表示することができる。この結果、ユーザが、三次元画像によって示された地点を、目的地として確実に設定することができる。
【００１９】
さらに、本発明に係る他の車載用ナビゲーション装置によれば、目的地候補表示手段により、目的地候補の三次元画像として、目視角度選択手段によって選択された目視角度から目的地候補を目視した場合に視認される目的地候補の外観を示す画像を表示することができるので、ユーザが、目的地候補の外観をさらに確実に把握することができ、目的地候補が過去に訪れた地点であるか否かをさらに確実に判別することができる。この結果、ユーザが、過去に訪れた所望の地点を目的地としてさらに確実に設定することができる。
【００２０】
さらにまた、本発明に係る他の車載用ナビゲーション装置によれば、目的地候補表示手段により、複数個の目的地候補を、自車位置からの距離を比較可能な状態として表示することができる結果、ユーザが、自車位置からの距離を考慮した目的地の設定を容易に行うことができる。
【００２１】
また、本発明に係る他の車載用ナビゲーション装置によれば、目的地候補表示手段により、目的地候補のリストとして、目的地の候補の三次元画像ごとに分散されたリストを表示することができる結果、リストと目的地候補の三次元画像とを分けて表示する場合に比べて、リストと目的地候補との対応関係を分かり易くすることができ、また、目的地候補の三次元画像を全体的に大きく表示することができるので、ユーザに目的地候補の外観を把握させ易くすることができる。
【００２２】
さらに、本発明に係る他の車載用ナビゲーション装置によれば、目的地候補表示手段により、目的地候補としての施設の三次元画像とともに、施設の周辺の三次元画像を表示することができる結果、ユーザが、過去に訪れた施設の外観を、その施設の周辺の外観も含めて記憶している場合には、周辺の三次元画像とともに表示された施設が、ユーザが過去に訪れた所望の施設であるか否かを簡便に判定することができる。この結果、ユーザが、過去に訪れて再び訪れることを希望している施設を、目的地として簡便かつ確実に設定することができる。
【００２３】
さらにまた、本発明に係る他の車載用ナビゲーション装置によれば、目的地候補表示手段により、三次元画像として、目的地候補を含む実世界の実写画像を表示することができる結果、ユーザが、目的地候補の外観をさらに正確に把握することができ、所望の目的地をさらに簡便かつ確実に設定することができる。
【発明を実施するための最良の形態】
【００２４】
以下、本発明に係る車載用ナビゲーション装置の実施形態について、図１乃至図１０を参照して説明する。
【００２５】
図１に示すように、本実施形態における車載用ナビゲーション装置１は、大別して、ナビゲーションメインユニット２と、このナビゲーションメインユニット２にそれぞれ接続されたデータ読出装置３、入力操作部５、ＧＰＳレシーバ６、自律航法センサ７、ディスプレイ８およびスピーカ９によって構成されている。なお、入力操作部５は、リモコンや、ディスプレイ８のタッチパネルまたはリニアエンコーダ等であってもよい。
【００２６】
データ読出装置３には、記憶媒体１０が搭載されており、この記憶媒体１０には、ナビゲーションに用いる種々のデータが記憶されている。具体的には、記憶媒体１０には、地図データが記憶されており、この地図データは、道路データおよび背景データ等によって構成されている。なお、道路データは、例えば、形状補間点、セグメント、リンク、ノード、リンク列、道路名称、通行条件（車種規制や通行時間帯規制等）および交通看板等のエンティティ（基本データ要素）によって構成されており、背景データは、例えば、点、ポリライン、ポリゴン、テキスト、形状位置および形状タイプ等のエンティティによって構成されている。また、記憶媒体１０には、自車両の現在位置（以下、自車位置と称する）から目的地までの推奨経路を計算する経路計算データとしての道路ネットワークデータが記憶されており、この道路ネットワークデータは、例えば、ノード、リンクおよび通行条件等のエンティティによって構成されている。さらに、記憶媒体１０には、場所やサービスを検索するための検索データが記憶されており、この検索データは、例えば、エリア名称、住所、郵便番号、インターセクション名称（交差点およびインターチェンジ等）、目的地やランドマーク等のＰＯＩ（Points Of Interest）およびサービス（店舗等の施設）等のエンティティによって構成されている。
【００２７】
なお、記憶媒体１０は、例えば、ＤＶＤであってもよいし、または、ハードディスクであってもよい。
【００２８】
ＧＰＳレシーバ６は、図示しないＧＰＳ衛星から軌道および時刻に関する情報（ＧＰＳ情報）を受信し、受信したＧＰＳ情報をナビゲーションメインユニット２に出力するようになっている。
【００２９】
自律航法センサ７は、ジャイロセンサ等によって構成されており、この自律航法センサ７は、自車の走行速度や角速度を検出し、検出結果をナビゲーションメインユニット２に出力するようになっている。
【００３０】
次に、ナビゲーションメインユニット２について詳述すると、このナビゲーションメインユニット２は、操作画面描画部１１を有しており、この操作画面描画部１１は、各種の操作画面の描画データを生成するようになっている。
【００３１】
操作画面描画部１１とディスプレイ８との間には、表示処理部１２が接続されており、この表示処理部１２には、操作画面描画部１１によって生成された操作画面の描画データが入力されるようになっている。そして、表示処理部１２は、入力された操作画面の描画データを画像に変換してディスプレイ８に出力することによって、操作画面をディスプレイ８に表示するようになっている。
【００３２】
入力操作部５には、検索条件設定部１４が接続されている。この検索条件設定部１４には、操作画面描画部１１および表示処理部１２によってディスプレイ８に表示された目的地候補の検索条件を入力するための操作画面（以下、検索条件入力画面と称する）に対してユーザが入力操作部５を用いて行った検索条件の入力結果が入力されるようになっている。なお、目的地候補の検索条件は、例えば、目的地候補の種別を特定するものであってもよい。そして、検索条件設定部１４は、入力操作部５からの入力結果を、目的地候補の検索条件として設定するようになっている。
【００３３】
検索条件設定部１４の出力側には、目的地候補検索手段としての目的地候補検索部１５が接続されており、この目的地候補検索部１５には、検索条件設定部１４によって設定された目的地候補の検索条件の情報が入力されるようになっている。
【００３４】
目的地候補検索部１５とデータ読出装置３との間には、データ読出制御部１７が接続されており、このデータ読出制御部１７は、データ読出装置３に対して、記憶媒体１０に記憶されたデータの読み出し要求を出力するようになっている。データ読出装置３と目的地候補検索部１５との間には、バッファ１８が接続されており、このバッファ１８には、データ読出装置３によって記憶媒体１０から読み出されたデータが一時的に格納されるようになっている。ここで、目的地候補検索部１５は、検索条件設定部１４から目的地候補の検索条件の情報が入力されると、データ読出制御部１７に、データ読出装置３に対する記憶媒体１０内の検索データの読み出し要求を出力させるようになっている。
【００３５】
そして、目的地候補検索部１５は、当該読み出し要求によって記憶媒体１０から読み出された検索データをバッファ１８を介して取得し、取得された検索データを用いて、検索条件設定部１４によって設定された目的地候補の検索条件を満足するような目的地候補を検索するようになっている。
【００３６】
ＧＰＳレシーバ６および自律航法センサ７の出力側には、自車位置を計算する自車位置計算部１９が接続されており、この自車位置計算部１９には、ＧＰＳレシーバ６から出力されたＧＰＳ情報および自律航法センサ７から出力された検出結果がそれぞれ入力されるようになっている。自車位置計算部１９は、ＧＰＳレシーバ６側から入力されたＧＰＳ情報に基づいて、自車位置を絶対座標として算出するようになっている（電波航法）。また、自車位置計算部１９は、自律航法センサ７側から入力された検出結果に基づいて、自車位置を前の自車位置からの相対的な変化として算出するようになっている（自律航法）。さらに、自車位置計算部１９は、電波航法または自律航法によって算出された自車位置が、地図データにおける道路上にない場合には、自車位置を地図データの該当する道路上の位置に補正するマップマッチングを行い、マップマッチング後の自車位置を計算結果として出力するようになっている。このマップマッチングには、記憶媒体１０に記憶された地図データが用いられるようになっている。
【００３７】
自車位置計算部１９、目的地候補検索部１５、データ読出制御部１７およびバッファ１８には、経路探索手段としての経路計算部２０が接続されており、この経路計算部２０には、自車位置計算部１９によって算出された自車位置（計算結果）の情報および目的地候補検索部１５によって検索された目的地候補の情報がそれぞれ入力されるようになっている。
【００３８】
経路計算部２０は、入力された自車位置の情報および目的地候補の情報に基づいて、自車位置から目的地候補の位置までの推奨経路を計算（探索）するようになっている。ここで、推奨経路は、目的地候補検索部１５によって探索された目的地候補と同数だけ算出されることになる。例えば、目的地候補が６個の場合には、算出される推奨経路も６個となる。
【００３９】
この推奨経路の計算の際に、経路計算部２０は、データ読出制御部１７に、記憶媒体１０に記憶された道路ネットワークデータを読み出すための読み出し要求をデータ読出装置３に対して出力させるようになっている。そして、経路計算部２０は、前記読み出し要求によって記憶媒体１０から読み出された道路ネットワークデータをバッファ１８を介して取得し、取得された道路ネットワークデータを用いて推奨経路を計算するようになっている。
【００４０】
なお、推奨経路の計算は、ユーザが入力操作部５を用いて入力した経路経路計算条件（例えば、高速道路を通らない等）にしたがって行うようにしてもよい。
【００４１】
また、目的地候補検索部１５、自車位置計算部１９、経路計算部２０、データ読出制御部１７、バッファ１８および表示処理部１２には、目的地候補表示手段を構成する目的地候補描画部２１が接続されている。
【００４２】
この目的地候補描画部２１には、目的地候補検索部１５によって検索された目的地候補の情報、自車位置計算部１９によって算出された自車位置の情報および経路計算部２０によって算出された推奨経路の情報がそれぞれ入力されるようになっている。
【００４３】
そして、目的地候補描画部２１は、入力された目的地候補および推奨経路の情報に基づいて、データ読出制御部１９に、目的地候補の情報およびこの目的地候補までの推奨経路に対応した地図データならびに検索データを記憶媒体１０から読み出すための読み出し要求を、データ読出装置３に対して出力させるようになっている。当該読み出し要求によって記憶媒体１０から読み出された地図データおよび検索データは、バッファ１８を経た後に目的地候補描画部２１によって取得されるようになっている。
【００４４】
そして、目的地候補描画部２１は、取得された地図データおよび検索データを用いることによって、図２および図３に示すように、目的地候補の三次元画像２２，２３を目的地候補のリスト２４，２５とともにディスプレイ８に表示するための描画データ（以下、リスト・三次元画像描画データと称する）を生成するようになっている。
【００４５】
また、本実施形態において、目的地候補描画部２１は、自車位置計算部１９から入力された自車位置の情報を用いることによって、リスト・三次元画像描画データとして、図２および図３に示すように、目的地候補の三次元画像２２，２３を、自車位置に対する目的地候補の方角が判別可能な状態として表示するためのリスト・三次元画像描画データを生成するようになっている。
【００４６】
このリスト・三次元画像描画データは、図２および図３に示すように、自車位置を示す自車位置マーク２６とともに、自車位置に対して北の方角にある目的地候補の三次元画像２２，２３は、自車位置マーク２６に対して画面の上方に表示し、自車位置に対して南の方角にある目的地候補の三次元画像２２，２３は、自車位置マーク２６に対して画面の下方に表示するものであってもよい。
【００４７】
また、リスト・三次元画像描画データは、図２に示すように、自車位置から目的地候補までの推奨経路の画像を、自車位置マーク２６から各目的地候補の三次元画像２２まで引き出されるように表示することを内容に含むものであってもよい。
【００４８】
さらに、本実施形態において、目的地候補描画部２１は、リスト・三次元画像描画データとして、図２および図３に示すように、目的地候補付近の推奨経路上から目的地候補を目視した場合に視認される目的地候補の外観を模した（示す）三次元画像２２，２３を表示するためのリスト・三次元画像描画データを生成するようになっている。
【００４９】
さらにまた、本実施形態において、目的地候補描画部２１は、リスト・三次元画像描画データとして、図２および図３に示すように、自車位置からの距離が近い目的地候補ほど、目的地候補の三次元画像２２，２３を大きく表示するためのリスト・三次元画像描画データを生成するようになっている。
【００５０】
また、本実施形態において、目的地候補描画部２１は、リスト・三次元画像描画データとして、以下の２つのパターンの画像を表示するリスト・三次元画像描画データを生成するようになっている。第１のパターンの画像は、図２に示すように、目的地候補のリスト２４を、目的地候補の三次元画像２２とは別個の位置にひとまとめに表示する画像（以下、通常表示画像と称する）とされている。また、第２のパターンの画像は、図３に示すように、目的地候補のリスト２５を、対応する目的地候補の三次元画像２５と組み合わせて目的地候補の三次元画像２５ごとに分散して表示する画像（以下、分散表示画像と称する）とされている。なお、デフォルトとして通常表示画像を表示するようにしてもよい。
【００５１】
さらに、本実施形態において、目的地候補描画部２１は、リスト・三次元画像描画データとして、図２および図３に示すように、目的地候補の三次元画像２２，２３として、施設（図２および図３におけるコンビニエンスストア）の三次元画像とともに施設の周辺（道路等）の三次元画像を表示するためのリスト・三次元画像描画データを生成するようになっている。
【００５２】
本実施形態において、操作画面描画部１１は、画像選択ボタン描画部２８を有している。この画像選択ボタン描画部２８は、図２および図３に示すように、通常表示画像の表示を選択するための通常表示選択ボタン２９と、分散表示画像の表示を選択するための分散表示選択ボタン３０との２つの画像選択ボタン２９，３０の描画データを生成し、生成された描画データを表示処理部１２に出力するようになっている。表示処理部１２は、画像選択ボタン描画部２８から出力された描画データを画像に変換してディスプレイ８に出力することによって、ディスプレイ８に２つの画像選択ボタン２９，３０を表示するようになっている。
【００５３】
そして、目的地候補描画部２１は、ディスプレイ８に表示された２つの画像選択ボタン２９，３０のうち、ユーザが入力操作部５を用いて選択した選択ボタン２９，３０に対応する画像（通常表示画像または分散表示画像）の描画データを生成するようになっている。
【００５４】
また、本実施形態において、目的地候補描画部２１は、図２および図３に示すように、目的地候補の三次元画像２２，２３として、目的地候補を推奨経路上から所定の目視角度（具体的には自車両の進行方向と自車両から目的地候補を目視する方向との挟角）で目視した場合に視認される目的地候補の外観を模した画像２２，２３を表示するためのリスト・三次元画像描画データを生成するようになっている。なお、図２および図３に示す三次元画像２２，２３は、いずれも、目的地候補を推奨経路上から３０°の目視角度で目視した場合に視認される目的地候補の外観を模した画像２２，２３となっている。つまり、図２および図３に示す画像２２，２３は、図４に示す推奨経路に対応する道路３３（左車線）上の地点Ａで目的地候補３２を目視した場合に視認される目的地候補の外観を模した画像２２，２３となっている。
【００５５】
ここで、本実施形態において、前記目視角度は、固定されたものではなく、ユーザの選択によって変更することができるようになっている。すなわち、本実施形態において、操作画面描画部１１は、目視角度選択画面描画部３１を有しており、この目視角度選択画面描画部３１は、目視角度選択手段を構成している。この目視角度選択画面描画部３１は、目的地候補描画部２１が、推奨経路上から目的地候補を所定の目視角度で目視した場合に視認される目的地候補の外観を模した三次元画像２２，２３の描画データを生成する際に、前記目視角度をユーザが選択するための目視角度選択画面の描画データを生成し、生成された目視角度選択画面の描画データを表示処理部１２に出力するようになっている。表示処理部１２は、目視角度選択画面描画部３１から出力された描画データを画像に変換してディスプレイ８に出力することによって、図５に示すような目視角度選択画面３４をディスプレイ８に表示するようになっている。この目視角度選択画面３４は、この目視角度選択画面３４に遷移するための操作ボタン（例えば、図２および図３における「角度変更」の文字が記された操作ボタン３５，３６）の操作がなされた上で表示するようにしてもよい。なお、図５の目視角度選択画面３４では、３０°、４５°（図４における地点Ｂに相当）および９０°（図４における地点Ｃに相当）の３つの目視角度が選択可能とされている。また、目視角度は、目的地候補ごとに個別に選択することができるようになっている。
【００５６】
さらに、本実施形態において、入力操作部５と目的地候補描画部２１との間には、目視角度設定部３７が接続されており、この目視角度設定部３７は、目視角度選択画面描画部３１とともに目視角度選択手段を構成している。目視角度選択画面描画部３１には、目視角度選択画面３４に対してユーザが入力操作部５を用いて選択した選択結果が入力されるようになっている。そして、目視角度設定部３７は、入力操作部５から入力された選択結果にしたがった目視角度を設定し、設定された目視角度の情報を、目的地候補描画部２１に出力するようになっている。
【００５７】
そして、目的地候補描画部２１は、目視角度設定部３７から出力された目視角度の情報を取得し、取得された目視角度の情報に対応した目的地候補の三次元画像２２，２３の描画データを生成するようになっている。
【００５８】
さらに、本実施形態において、表示処理部１２は、目的地候補描画部２１とともに目的地候補表示手段を構成している。すなわち、表示処理部１２は、目的地候補描画部２１によって生成された描画データを目的地候補描画部２１から取得し、取得された描画データを画像に変換してディスプレイ８に出力することによって、通常表示画像または分散表示画像をディスプレイ８に表示するようになっている。
【００５９】
そして、本実施形態においては、このようにしてディスプレイ８に表示された目的地候補のうちの１つの目的地候補を、ユーザが入力操作部５を用いて選択することが可能とされている。具体的には、図２の通常表示画像における目的地候のリスト２４および図３の分散表示画像における目的地候の三次元画像２３に、入力操作部５（例えば、タッチパネル）を用いた選択が可能な操作画面の機能を持たせるようにしてもよい。
【００６０】
また、本実施形態において、操作画面描画部１１は、ユーザが入力操作部５を用いて１つの目的地候補を選択すると、図６に示すように、選択された目的地候補を入力操作部５を用いて目的地として設定するための目的地設定ボタン３８の描画データを生成し、生成された描画データを表示処理部１２に出力するようになっている。なお、図６（ａ）に示す通常表示画像および図６（ｂ）に示す分散表示画像においては、ともに、同一の目的地候補（コンビニＡ）が選択されている。表示処理部１２は、操作画面描画部１１から出力された目的地設定ボタン３８の描画データを画像に変換してディスプレイ８に出力することによって、ディスプレイ８に目的地設定ボタン３８を表示するようになっている。
【００６１】
入力操作部５と経路計算部２０との間には、目的地設定部４０が接続されており、この目的地設定部４０には、入力操作部５から、ユーザが選択した目的地候補の情報および目的地設定ボタン３８が操作されたことを示す情報が入力されるようになっている。そして、目的地設定部４０は、入力操作部５から入力された情報に基づいて、ユーザが選択した１個の目的地候補を目的地として設定し、設定結果を経路計算部２０に出力するようになっている。
【００６２】
上記構成に加えて、さらに、バッファ１８の出力側には、地図描画部４１が接続されている。地図描画部４１は、ユーザが、入力操作部５を用いることによってユーザが指定した地点（例えば、自車位置）およびその周辺の地図を表示するための入力操作を行うと、データ読出制御部１７に、ユーザが指定した地点およびその周辺の地図データを読み出すための読み出し要求をデータ読出装置３に対して出力させるようになっている。この読み出し要求を受けたデータ読出装置３は、記憶媒体１０から、ユーザが指定した地点およびその周辺の地図データを読み出してバッファ１８に出力するようになっている。そして、地図描画部４１は、バッファ１８に出力された地図データを用いることによって地図描画データを生成し、生成された地図描画データを表示処理部１２に出力するようになっている。表示処理部１２は、地図描画部４１から出力された地図描画データを画像に変換してディスプレイ８に出力することによって、ユーザが指定した地点およびその周辺の地図をディスプレイ８に表示するようになっている。
【００６３】
また、自車位置計算部１９と表示処理部１２との間には、自車位置描画部４２が接続されており、この自車位置描画部４２には、自車位置計算部１９によって算出された自車位置の情報が入力されるようになっている。そして、自車位置描画部４２は、入力された自車位置の情報に基づいて、自車位置のマークを表示するための自車位置描画データを生成し、生成された自車位置描画データを表示処理部１２に出力するようになっている。表示処理部１２は、自車位置描画部４２から出力された自車位置描画データを地図描画データと合成した上で画像に変換してディスプレイ８に出力することによって、地図上に自車位置のマークが重畳された画像をディスプレイ８に表示するようになっている。
【００６４】
さらに、経路計算部２０と表示処理部１２との間には、案内画像描画部４３が接続されている。経路計算部２０は、目的地設定部４０から目的地の設定結果を取得すると、前述した自車位置から目的地候補までの推奨経路のうち、目的地として設定された１つの目的地候補についての推奨経路の情報を、案内画像描画部４３に出力するようになっている。そして、案内画像描画部４３は、経路計算部２０から出力された推奨経路の情報に基づいて、自車両を推奨経路に沿って目的地まで案内するナビゲーションのための案内画像の描画データを生成し、生成された案内画像の描画データを表示処理部１２に出力するようになっている。なお、案内画像の描画データとしては、推奨経路を地図上に重畳表示するための推奨経路画像の描画データや、交差点拡大画像の描画データ等を挙げることができる。表示処理部１２は、案内画像描画部４３から出力された案内画像の描画データを画像に変換してディスプレイ８に出力することによって、案内画像をディスプレイ８に表示するようになっている。
【００６５】
また、経路計算部２０とスピーカ９との間には、音声案内部４５が接続されており、この音声案内部４５には、経路計算部２０から出力された推奨経路の情報が入力されるようになっている。そして、音声案内部４５は、入力された推奨経路の情報に基づいて、自車両を推奨経路に沿って目的地まで音声案内するための案内音声データを生成し、生成された案内音声データをスピーカ９に出力するようになっている。なお、案内音声データとしては、交差点右左折案内を行うための音声データ等を挙げることができる。スピーカ９は、音声案内部４５から出力された案内音声データを音声に変換して出力することによって、音声案内を行うようになっている。
【００６６】
次に、本実施形態の作用として、車載用ナビゲーション装置１に特有の動作について説明する。
【００６７】
なお、便宜上、初期状態において、ディスプレイ８には、操作画面描画部１１および表示処理部１２によって、検索条件入力画面が表示されているものとする。
【００６８】
（通常表示画像を表示する動作）
初期状態から、ユーザが入力操作部５を用いることによって、検索条件入力画面に対して、目的地候補の種別をコンビニエンスストアとする入力操作を行うと、この入力結果が検索条件設定部１４に入力される。
【００６９】
次いで、検索条件設定部１４は、入力操作部５から入力された検索条件の入力結果を、目的地候補の検索条件として設定し、設定された目的地候補の検索条件の情報を、目的地候補検索部１５に出力する。
【００７０】
次いで、目的地候補検索部１５は、検索条件設定部１４から目的地候補の検索条件の情報が入力されると、データ読出制御部１７に、データ読出装置３に対する記憶媒体１０内の検索データの読み出し要求を出力させる。
【００７１】
そして、目的地候補検索部１５は、当該読み出し要求によって記憶媒体１０から読み出された検索データをバッファ１８を介して取得し、取得された検索データを用いて、検索条件設定部１４によって設定された目的地候補の検索条件を満足するような目的地候補、すなわち、コンビニエンスストアを検索する。
【００７２】
目的地候補検索部１５は、検索されたコンビニエンスストアの情報を経路計算部２０に出力する。
【００７３】
また、このとき、自車位置計算部１９は、ＧＰＳ情報または自律航法センサ７の検出結果に基づいて自車位置を計算し、算出された自車位置の情報を経路計算部２０および目的地候補描画部２１に出力する。
【００７４】
次いで、経路計算部２０は、入力された自車位置の情報およびコンビニエンスストアの情報に基づいて、自車位置からコンビニエンスストアの位置までの推奨経路を道路ネットワークデータを用いて計算し、算出された推奨経路の情報を目的地候補描画部２１に出力する。
【００７５】
次いで、目的地候補描画部２１は、目的地候補検索部１５側から入力されたコンビニエンスストアの情報および経路計算部２０側から入力された推奨経路の情報に基づいて、データ読出制御部１９に、コンビニエンスストアおよびこのコンビニエンスストアまでの推奨経路に対応した地図データならびに検索データを記憶媒体１０から読み出すための読み出し要求を、データ読出装置３に対して出力させる。この読み出し要求によって記憶媒体１０から読み出された地図データおよび検索データは、バッファ１８を経た後に目的地候補描画部２１によって取得される。
【００７６】
そして、目的地候補描画部２１は、取得された地図データおよび検索データを用いることによって、デフォルトとして、推奨経路上からのコンビニエンスストアの目視角度が３０°とされた前述した通常表示画像を表示するための描画データを生成し、生成された描画データを表示処理部１２に出力する。なお、この描画データは、通常表示画像におけるコンビニエンスストアのリスト２４を、操作画面としての機能を持たせた状態として表示するための描画データとされている。
【００７７】
また、このとき、操作画面描画部１１の画像選択ボタン描画部２８は、通常表示選択ボタン２９と分散表示選択ボタン３０との２つの画像選択ボタン２９，３０の描画データを生成し、生成された描画データを表示処理部１２に出力する。
【００７８】
さらに、このとき、操作画面描画部１１は、コンビニエンスストアの目視角度の変更を指示するための操作ボタン３５の描画データを生成し、生成された描画データを表示処理部１２に出力する。
【００７９】
次いで、表示処理部１２は、目的地候補描画部２１および操作画面描画部１１（画像選択ボタン描画部２８）からそれぞれ出力された各描画データを画像に変換してディスプレイ８に出力することによって、ディスプレイ８に、図２に示すような通常表示画像を表示する。
【００８０】
この通常表示画像は、６個のコンビニエンスストア（コンビニＡ〜コンビニＦ）のリスト２４が、各コンビニエンスストアの三次元画像２２とは別個の位置にひとまとめに表示されたものとなっている。なお、リスト２４および三次元画像２２における互いに対応する項目には、対応関係が分かるように同じ数字が付されている。各コンビニエンスストア２４のリスト２４は、ユーザが入力操作部５を操作することによって選択可能とされている。
【００８１】
また、この通常表示画像は、コンビニエンスストアの三次元画像２２が、鳥瞰図的に表示された自車位置マーク２６および背景（図２における山）とともに表示されたものとなっており、自車位置に対する各コンビニエンスストアの方角が判別可能となっている。例えば、自車位置に対して、北の方角にあるコンビニエンスストアの三次元画像２２は、自車位置マーク２６に対して画面の上方に表示されており、また、自車位置に対して南の方角にある目的地候のコンビニエンスストアの三次元画像２２は、自車位置マーク２６に対して画面の下方に表示されている。
【００８２】
また、この通常表示画像は、自車位置からの距離が近いコンビニエンスストアほど、三次元画像２２が大きく表示されたものとなっている。
【００８３】
さらに、通常表示画像におけるコンビニエンスストアのリスト２４は、コンビニエンスストアの名称を、自車位置からの距離および方角（東西南北を示す矢印および「左側」、「２回曲がる」等の文字）とともに示したものとなっている。
【００８４】
さらにまた、各コンビニエンスストアの三次元画像２２は、コンビニエンスストアを推奨経路上から３０°の目視角度で目視した場合に視認されるコンビニエンスストアの外観を模した画像となっている。
【００８５】
また、ディスプレイ８には、通常表示画像とともに、通常表示選択ボタン２９および分散表示選択ボタン３０が表示されている。
【００８６】
さらに、通常表示画像におけるコンビニエンスストアのリスト２４上には、目視角度の変更を指示するための操作ボタン３５が表示されている。
【００８７】
なお、図２には、操作画面描画部１１および表示処理部１２により、通常表示画像をスクロール（移動表示）可能とされたスクロールボタン４６が表示されており、このスクロールボタン４６は、入力操作部５を用いて操作可能とされている。目的地候補描画部２１および表示処理部１２は、目的地候補検索部１５によって探索されたコンビニエンスストアが所定数（例えば６個）を超える場合には、まず、所定数分のコンビニエンスストアのリスト２４および三次元画像２２を表示し、残余のコンビニエンスストアのリスト２４および三次元画像２２については、スクロールボタン４６が操作されるのを検知した上で表示する。
【００８８】
ところで、図７に示すように、目視角度が３０°では建物等の障害物によって目的地候補であるコンビニエンスストアの外観を把握することができない場合には、ユーザは、次のようにして目視角度を変更することによって、コンビニエンスストアの外観を把握するために好適な三次元画像を表示させることができる。
【００８９】
すなわち、まず、ユーザが、入力操作部５を用いて任意のコンビニエンスストアのリスト２４についての目視角度の変更を指示する操作ボタン３５を操作すると、操作画面描画部１１の目視角度選択画面描画部３１は、目視角度選択画面３４の描画データを生成し、生成された目視角度選択画面３４の描画データを表示処理部１２に出力する。そして、表示処理部１２は、目視角度選択画面描画部３１から出力された描画データを画像に変換してディスプレイ８に出力することによって、図５に示すような目視角度選択画面３４をディスプレイ８に表示する。
【００９０】
次いで、目視角度選択画面３４において、ユーザが、入力操作部５を用いて目視角度４５°を選択した場合には、目的地候補描画部２１は、操作ボタン３５が操作されたコンビニエンスストアを推奨経路上から４５°の目視角度で目視した場合に視認される当該コンビニエンスストアの外観を模した画像の描画データを生成し、生成された描画データを表示処理部１２に出力する。そして、表示処理部１２は、目的地候補描画部２１から出力された描画データを画像に変換してディスプレイ８に出力することによって、図４における地点Ｂから引き出された画像に示すように、目視角度が４５°とされたコンビニエンスストアの三次元画像２２をディスプレイ８に表示する。
【００９１】
（分散表示画像を表示する動作）
前述のように、ディスプレイ８に、デフォルトとして通常表示画像が表示された後に、ユーザが、入力操作部５を用いて分散表示選択ボタン３０を操作すると、目的地候補描画部２１は、分散表示画像を表示するための描画データを生成し、生成された描画データを表示処理部１２に出力する。なお、この描画データは、分散表示画像におけるコンビニエンスストアの三次元画像２３を、操作画面としての機能を持たせた状態として表示するための描画データとされている。
【００９２】
また、このとき、操作画面描画部１１は、コンビニエンスストアの目視角度の変更を指示するための操作ボタン３６の描画データを生成し、生成された描画データを表示処理部１２に出力する。
【００９３】
次いで、表示処理部１２は、目的地候補描画部２１および操作画面描画部１１
からそれぞれ出力された各描画データを画像に変換してディスプレイ８に出力することによって、ディスプレイ８に、図３に示すような分散表示画像を表示する。
【００９４】
この分散表示画像は、６個のコンビニエンスストア（コンビニＡ〜コンビニＦ）のリスト２５が、対応するコンビニエンスストアの三次元画像２３と組み合わされるようにして三次元画像２３ごとに分散して表示されたものとなっている。各コンビニエンスストアの三次元画像２３は、ユーザが入力操作部５を用いることによって選択可能とされている。
【００９５】
また、分散表示画像は、通常表示画像と同様に、コンビニエンスストアの三次元画像２３が、自車位置マーク２６および背景（図３における山）とともに表示されたものとなっており、自車位置に対する各コンビニエンスストアの方角が判別可能となっている。
【００９６】
また、この分散表示画像は、自車位置からの距離が近いコンビニエンスストアほど、三次元画像２３が大きく表示されたものとなっている。
【００９７】
さらに、各コンビニエンスストアの三次元画像２３は、コンビニエンスストアを推奨経路上から３０°の目視角度で目視した場合に視認されるコンビニエンスストアの外観を模した画像となっている。
【００９８】
また、ディスプレイ８には、通常表示選択ボタン２９、分散表示選択ボタン３０およびスクロールボタン４６が継続して表示されている。
【００９９】
さらに、コンビニエンスストアの三次元画像２３上には、目視角度の変更を指示するための操作ボタン３６が表示されている。なお、この操作ボタン３６をユーザが入力操作部５を用いて操作すると、目視角度選択画面描画部３１および表示処理部１２によって、ディスプレイ８に目視角度選択画面３４が表示されることになる。そして、目視角度選択画面３４において、ユーザが、入力操作部５を用いて目視角度４５°を選択した場合には、操作ボタン３６が操作されたコンビニエンスストアを推奨経路上から４５°の目視角度で目視した場合に視認される当該コンビニエンスストアの外観を模した三次元画像２３が、目的地候補描画部２１および表示処理部１２によってディスプレイ８に表示されることになる。なお、このとき表示される画像は、図４における地点Ｂから引き出された画像２３に、リスト２５が組み合わされた画像２３となる。
【０１００】
（目的地の設定からルート案内に至る動作）
前述した通常表示画像において、ユーザが入力操作部５を用いてリスト２４からコンビニＡを選択した場合、または、前述した分散表示画像において、ユーザが入力操作部５を用いてコンビニＡの三次元画像２３を選択した場合には、操作画面描画部１１が、コンビニＡを目的地として設定するための目的地設定ボタン３８の描画データを生成し、生成された描画データを表示処理部１２に出力する。
【０１０１】
次いで、表示処理部１２は、操作画面描画部１１から出力された目的地設定ボタン３８の描画データを画像に変換してディスプレイ８に出力することによって、ディスプレイ８に目的地設定ボタン３８を表示する。
【０１０２】
そして、この目的地設定ボタン３８をユーザが入力操作部５を用いて操作すると、目的地設定部４０は、コンビニＡを目的地として設定し、設定結果を経路計算部２０に出力する。
【０１０３】
次いで、経路計算部２０は、目的地設定部４０から出力された設定結果を取得すると、自車位置からコンビニＡまでの推奨経路の情報を案内画像描画部４３および音声案内部４５に出力する。
【０１０４】
そして、案内画像描画部４３は、経路計算部２０から出力された推奨経路の情報に基づいて、自車両を推奨経路に沿ってコンビニＡまで案内するための案内画像の描画データを生成し、生成された案内画像の描画データを表示処理部１２に出力する。そして、表示処理部１２は、案内画像描画部４３から出力された案内画像の描画データを画像に変換してディスプレイ８に出力することによって、案内画像をディスプレイ８に表示する。これにより、自車位置からコンビニＡまでの画像によるルート案内が行われる。
【０１０５】
また、音声案内部４５は、経路計算部２０から出力された推奨経路の情報に基づいて、自車両を推奨経路に沿ってコンビニＡまで音声案内するための案内音声データを生成し、生成された案内音声データをスピーカ９に出力する。そして、スピーカ９は、音声案内部４５から出力された案内音声データを音声に変換して出力する。これにより、自車位置からコンビニＡまでの音声によるルート案内が行われる。
【０１０６】
以上述べたように、本実施形態によれば、目的地候補描画部２１および表示処理部１２により、目的地候補検索部１５によって検索された目的地候補のリスト２４，２５とともに、目的地候補の三次元画像２２，２３をディスプレイ８に表示部に表示することができる。
【０１０７】
この結果、ユーザが、目的地候補の外観を把握することによって、所望の目的地を簡便かつ確実に設定することができる。また、目的地候補の三次元画像を、自車位置に対する目的地候補の方角を判別可能な状態として表示することができる結果、ユーザが、自車位置に対する目的地候補の方角を基準として、訪れることを希望する目的地を簡便かつ確実に選択することができる。さらに、ユーザが、実際に目的地に赴く前に、目的地の外観を予め把握することができるので、ルート案内を受けながら自車両を目的地の近辺まで進行させた際に、目的地を容易に確認することができる。
【０１０８】
なお、本発明は、前述した実施の形態に限定されるものではなく、必要に応じて種々の変更が可能である。
【０１０９】
例えば、目的地候補描画部２１および表示処理部１２によって表示される三次元画像は、車載カメラ等によって目的地候補を含む実世界を道路上から実際に撮影した実写画像であってもよい。この場合には、記憶媒体１０内に、施設等の地点の実写画像のデータを記憶させておき、目的地候補検索部１５によって目的地候補が検索された際に、その目的地候補に対応する地点の実写画像が記憶媒体１０から読み出されるようにすればよい。そのためには、地点の実写画像のデータを、検索データ中の施設やＰＯＩと対応関係を有するように、地点の位置を示す情報とともに記憶媒体１０に記憶させておくことが望ましい。地点の位置を示す情報としては、地点を車載カメラで撮影した際の車両の位置の情報を用いることができる。また、前述した目的地候補の目視角度の選択に対応するためには、１つの地点につき、その地点を複数の角度から撮影した複数個の実写画像のデータを、その撮影角度の情報とともに記憶させておけばよい。なお、地点の実写画像のデータは、自車両の車載カメラによって撮影されたものであってもよいし、または、車々間通信や年次更新等によって取得されたものであってもよい。
【０１１０】
このように、地点の実写画像のデータを、目的地候補検索部１５の検索結果やユーザによる目視角度の選択結果に応じて読み出し可能な状態として記憶媒体１０内に記憶させておけば、目的地候補描画部２１が、記憶媒体１０から読み出された実写画像のデータを目的地候補のリストと合成した描画データを生成し、生成された描画データを表示処理部１２によってディスプレイ８に表示することによって、目的地候補を含む実写画像を表示することができる。この場合、ユーザは、過去に目視して記憶した地点の外観そのものをディスプレイ８上で見ることができるため、目的地候補がユーザが過去に訪れた地点であるか否かをさらに確実に判定することができ、その目的地候補を目的地として確実に設定することができる。
【０１１１】
また、前述した実施形態においては、通常表示画像における目的地候補のリスト２４または分散表示画像における三次元画像２３をユーザが選択した場合には、目的地設定ボタン３８を表示するようになっていたが、本発明は、このような構成に限定されるものではなく、例えば、目的地設定ボタン３８に加えて、選択された目的地候補の詳細情報（目的地候補の周辺地図等）を表示するようにしてもよい。
【０１１２】
さらに、通常表示画像または分散表示画像の表示の際に、目的地候補が存在しない方角については、画面上に背景を表示しないようにしてもよい。例えば、目的地候補検索部１５によって探索された目的地候補が自車両の西側にしか存在しない場合には、図８に示すように、自車位置マーク２６を右端に表示し、自車位置マーク２６の右側（東側）の背景は、表示しないようにしてもよい。このようにすれば、ディスプレイ８の画面を有効に利用して個々の目的地候補の三次元画像２２，２３を大きく見やすく表示することができる。
【０１１３】
また、リスト２４，２５上に、自車位置からすべての目的地候補までの距離を表示する替わりに、ユーザが入力操作部５を用いて選択した目的地候補についてのみ、自車位置からの距離を表示するようにしてもよい。
【０１１４】
さらに、図９に示すように、ユーザが入力操作部５を用いて選択した目的地候補（図９におけるコンビニＣ）については、リスト２５上に表示されている距離（２ｋｍ）よりも更に正確な距離（２．３ｋｍ）を、当該目的地候補までの推奨経路の強調表示画像とともにディスプレイ８に表示するようにしてもよい。
【０１１５】
さらにまた、自車位置マーク２６および背景は、図２および図３等に示したように鳥瞰図的に表示することに限る必要はなく、例えば、図１０に示すように二次元表示するようにしてもよい。
【０１１６】
また、目的地候補検索部１５によって検索された目的地候補の数が多い場合には、一部の目的地候補のリストおよび三次元画像のみを表示し、残余の目的地候補のリストおよび三次元画像については、スクロールボタン４６の操作にともなって表示してもよいことは前述したが、その際に、ユーザが指定した目的地候補については、スクロールの動作に影響されずに表示され続けるように構成してもよい。
【０１１７】
さらに、前述した操作画面の機能を持たせた状態として表示された通常表示画像におけるリスト２４および分散表示画像における三次元画像２３がユーザによって選択された場合に、目的地設定ボタン３８を表示することなく、選択された目的地候補が即時に目的地として設定されるように構成してもよい。
【図面の簡単な説明】
【０１１８】
【図１】本発明に係る車載用ナビゲーション装置の実施形態を示すブロック図
【図２】本発明に係る車載用ナビゲーション装置の実施形態において、通常表示画像の表示状態を示す図
【図３】本発明に係る車載用ナビゲーション装置の実施形態において、分散表示画像の表示状態を示す図
【図４】本発明に係る車載用ナビゲーション装置の実施形態において、道路上からの目的地候補の目視角度およびそれに対応する三次元画像を示す説明図
【図５】本発明に係る車載用ナビゲーション装置の実施形態において、目視角度選択画面を示す図
【図６】本発明に係る車載用ナビゲーション装置の実施形態において、目的地設定ボタンの表示状態を示す図
【図７】目的地候補の外観を把握できない三次元画像の一例を示す図
【図８】本発明に係る車載用ナビゲーション装置の実施形態において、自車の西側のみに目的地候補が存在する場合における目的地候補の三次元画像の表示例を示す図
【図９】本発明に係る車載用ナビゲーション装置の実施形態において、分散表示画像とともにユーザによって選択された目的地候補までの詳細な距離を表示した画面を示す図
【図１０】本発明に係る車載用ナビゲーション装置の実施形態において、自車位置マークおよび背景の二次元表示状態を示す図
【図１１】従来の車載用ナビゲーション装置における目的地候補の表示例を示す図
【符号の説明】
【０１１９】
１  車載用ナビゲーション装置
８  ディスプレイ
１２  表示処理部
１５  目的地候補検索部
２１  目的地候補描画部
【図１】
2007309823.tif 000003
【図２】
2007309823.tif 000004
【図３】
2007309823.tif 000005
【図４】
2007309823.tif 000006
【図５】
2007309823.tif 000007
【図６】
2007309823.tif 000008
【図７】
2007309823.tif 000009
【図８】
2007309823.tif 000010
【図９】
2007309823.tif 000011
【図１０】
2007309823.tif 000012
【図１１】
2007309823.tif 000013